(57)【特許請求の範囲】
【請求項１】
空気吸込口と空気排出口とを有する空気調和機本体と、
前記空気調和機本体内に設けられる空気処理部と、
前記空気調和機本体内に設けられ、前記空気吸込口から空気を吸い込んで、前記空気処理部を通過させた後、前記空気排出口から排出させる送風部と、
を備え、
前記空気調和機本体の前面は前面パネルで構成され、
前記前面パネルは、下パネルと、前記下パネルとの間に前記空気吸込口を形成する上パネルとからなり、
前記上パネルは、前記空気調和機本体の前面に沿って平行にスライド移動することにより、前記空気吸込口の開度を調整可能であり、
前記空気吸込口は、前記上パネルと前記下パネルの間に形成される第１吸込口と、前記下パネルの下方に形成される第２吸込口と、前記上パネル及び前記下パネルと前記空気調和機本体の側部に設けた凹部との間に形成される第３吸込口とを備えたことを特徴とする空気調和機。
【請求項２】
前記第１吸込口は、前記送風部による空気吸込領域の投影面を含むように形成されることを特徴とする請求項１に記載の空気調和機。
【発明の詳細な説明】
【技術分野】
【０００１】
本発明は、除湿機、衣類乾燥機、送風機、空気清浄機等の空気調和機に関するものである。
【背景技術】
【０００２】
従来、空気調和機として、複数の駆動手段により前面化粧板を本体ケースとの距離を変えながら上下前後に移動させるようにしたものが公知である（例えば、特許文献１参照）。この空気調和機では、前面化粧板と本体ケースとの距離を変えることにより、側部に形成した第１の吸気口と、下部に形成した第２の吸気口の開口面積を変化させることができるようになっている。
【０００３】
また他の空気調和機として、前面下部に形成した開口（吸気口）を揺動パネルで覆い、この揺動パネルを軸を中心として揺動させることにより、開口の面積を変更できるようにしたものが公知である（例えば、特許文献２参照）。
【０００４】
しかしながら、前記いずれの空気調和機であっても、吸気口を開放させるために、前面化粧板あるいは揺動パネルが前方へと移動するように構成されている。
【先行技術文献】
【特許文献】
【０００５】
【特許文献１】特開２０１１−１７４９２号公報
【特許文献２】特開２００５−１６８４１号公報
【発明の概要】
【発明が解決しようとする課題】
【０００６】
本発明は、空気吸込口の開度の調整を空気調和機本体の前面に沿ったスライド部材のスライド移動のみによって達成することができる空気調和機を提供することを課題とする。
【課題を解決するための手段】
【０００７】
本発明は、前記課題を解決するための手段として、
空気吸込口と空気排出口とを有する空気調和機本体と、
前記空気調和機本体内に設けられる空気処理部と、
前記空気調和機本体内に設けられ、前記空気吸込口から空気を吸い込んで、前記空気処理部を通過させた後、前記空気排出口から排出させる送風部と、
を備え、
前記空気調和機本体は、前面に沿って平行にスライド移動して、前記空気吸込口の開度を調整するスライド部材を備えることを特徴とする空気調和機を提供する。
【０００８】
この構成により、スライド部材は空気調和機本体の前面に沿ってスライド移動するだけで、空気吸込口の開度を調整することができる。
【０００９】
前記スライド部材は、前記空気調和機本体の前面パネルの一部で構成するのが好ましい。
【００１０】
この構成により、新たな部材を追加することなく、既存構成の前面パネルに変更を施すだけで、第１吸込口の開度を調整することができる。
【００１１】
前記前面パネルは、上パネルと下パネルで構成され、前記スライド部材は、前記下パネルに対して昇降可能に設けた前記上パネルで構成することにより、前記下パネルとの間に形成される空気吸込口を形成可能とするのが好ましい。
【００１２】
この構成により、下パネルに対して上パネルを上下方向にスライド移動させるだけで、空気吸込口の開度を調整することができる。
【００１３】
前記空気吸込口は、前記上パネルと前記下パネルの間に形成される第１吸込口と、前記下パネルの下方に形成される第２吸込口とを少なくとも備えるのが好ましい。
【００１４】
この構成により、第１吸込口から床面よりも上方側に浮遊する粒子（花粉、埃、臭い成分等）を吸い込むことができ、第２吸込口から室内床面側の粒子を吸い込むことができる。また、第１吸込口は、空気調和機本体の前方に向かって開口しており、周囲の空気を効率良く吸い込むことができる。
【００１５】
前記空気吸込口は、さらに前記空気調和機本体の側部に形成される第３吸込口を備えるのが好ましい。
【００１６】
この構成により、側方からも粒子を吸い込んで吸込範囲を拡張することにより、空気吸込量をより一層増大させて空気清浄能力を向上させることができる。
【００１７】
前記第１吸込口は、前記送風部による空気吸込領域の投影面を含むように形成されるのが好ましい。
【００１８】
この構成により、空気調和機本体の前方側の空気を、空気処理部へと効果的に吸い込むことができる。
【００１９】
前記スライド部材は、前記空気調和機本体の前面領域内で移動可能であるのが好ましい。
【００２０】
この構成により、スライド部材が空気調和機本体の周囲にはみ出すことがなく、設置場所の制約を受けにくい。また、空気調和機本体の前面領域からスライド部材が突出することがないため、他と接触して損傷する心配もない。
【００２１】
前記スライド部材をスライド移動させる駆動部と、
前記駆動部を駆動制御して、前記空気吸込口の開度を前記送風部による送風量に応じて変化させる制御部と、
をさらに備えるのが好ましい。
【００２２】
この構成により、空気清浄能力を増大させたい場合、空気吸込口の開度を大きくして送風量を増大させることができる。
【発明の効果】
【００２３】
本発明によれば、空気調和機本体の前面に沿ってスライド部材をスライド移動させるだけで、空気吸込口の開度を変更することができる。
【図面の簡単な説明】
【００２４】
【図１】本実施形態に係る空気調和機の斜視図である。
【図２】図１の側面断面図である。
【図３】図１の分解斜視図である。
【図４Ａ】図１からフィルタケースを除去し、上パネルを取り外して背面側を露出させた状態を示す斜視図である。
【図４Ｂ】図４Ａの部分拡大図である。
【図５】図１に示す状態から上フィルタを全開させた状態を示す斜視図である。
【図６】図１の下パネルの斜視図である。
【図７】図６の部分拡大図である。
【図８】図１の上パネルの一部を破断した部分拡大図である。
【図９】図１に示す上パネルを全閉位置に位置させた状態での部分断面図である。
【図１０】図９から上パネルが上方に移動している状態を示す部分断面図である。
【図１１】図１０から上パネルが前方側に回動している状態を示す部分断面図である。
【図１２】図１１から上パネルが前方側に外れた状態を示す部分断面図である。
【発明を実施するための形態】
【００２５】
以下、本発明に係る実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。
【００２６】
図１は、本実施形態に係る空気調和機の一例である空気清浄機を示す。図２及び図３に示すように、空気清浄機は、空気調和機本体の一例である空気清浄機本体１と、空気処理部の一例である空気清浄部２と、送風部３と、制御部４とを備える。
【００２７】
空気清浄機本体１は、フィルタケース５、リアケース６、トップカバー７及び前面パネルを備え、パネル部材の一例である前面パネルが上パネル８及び下パネル９で構成されている。
【００２８】
フィルタケース５には、前面側収容部１０に空気清浄部２が保持され、背面側に送風部３が配置されている。前面側収容部１０と背面側とを仕切る仕切壁１１には、本発明に係る空気吸込領域である連通口１２が形成されている。連通口１２は、放射状及び円周状に延びるリブによって複数の開口が形成されたものである。そして、連通口１２を介して空気清浄部２を通過した空気が、背面側の送風部３内へと流入するようになっている。
【００２９】
前面側収容部１０を構成する底壁１３の中央部には第１凹部１４が形成されている。この第１凹部１４は、空気清浄部２の着脱時に指を挿入するためのスペースを確保する。底壁１３の両端部上面には係止凹部１５がそれぞれ形成されている。
【００３０】
前面側収容部１０を構成する両側壁１６には第２凹部１７がそれぞれ形成されている。これら第２凹部１７は、後述するように、上パネル８との間に第３吸込口５４を形成すると共に、上パネル８の着脱時に指を挿入するためのスペースを確保する。
【００３１】
図４Ａに示すように、前記両側壁１６の上部には支持ブロック１８がそれぞれ昇降可能に配置されている。各支持ブロック１８は略直方体形状で、背面にはラック１９が形成されている。ラック１９には、昇降用モータ２０の回転軸に固定したピニオン２１が噛合している。図４Ｂに示すように、支持ブロック１８には、前面下部に係合受部１８ａが形成されている。係合受部１８ａは、両側面に弾性舌片１８ｂを備え、弾性舌片１８ｂの先端部分には係合突部１８ｃが形成されている。そして、係合受部１８ａを利用して支持ブロック１８には、後述するように、上パネル８にネジ止めした昇降バー２２が支持されるようになっている。前記両側壁１６からは前方に向かって係止フック２４（図３参照）がそれぞれ突出している。各係止フック２４は、後述する下パネル９に係止される。
【００３２】
図１及び図２に示すように、リアケース６はフィルタケース５の背面に装着され、そこに配置された送風部３を覆う。トップカバー７は、フィルタケース５及びリアケース６の上面に装着され、その上面には送風部３からの空気を排出する格子状の空気排出口２５が形成されている。またトップカバー７の上面には操作パネル２６が設けられている。操作パネル２６は各種操作ボタンや表示ランプ等で構成されている。操作ボタンを操作すると、操作信号が制御部４に入力され、回転用モータ６１や昇降用モータ２０（図４参照）が駆動制御される。
【００３３】
図６に示すように、下パネル９は上方壁２７と下方壁２８とで構成されている。
上方壁２７は、その前面が下方壁２８の前面よりも背面側に位置し、そこには後述する上パネル８が昇降可能となっている。また上方壁２７には開口部２８ａが形成されている。開口部２８ａは、幅方向に延びる横長の開口である。開口部２８ａは、前記連通口１２すなわち空気吸込領域の投影面内に位置している。開口部２８ａを構成する上縁部及び下縁部は共に前方に向かって斜め下方に延びている。これにより、上方壁２７を前方から見ると、開口部２８ａは目視できないが、上方壁２７の背面から前面に向かって斜め下方に延びる、開口部２８ａに連なる湾曲面２７ａと、その上方側の湾曲面２７ｂとが形成される。湾曲面２７ａ及び２７ｂの先端部分は、後述するように取り付けた上パネル８の背面近傍に位置している。
【００３４】
図７も併せて参照すると、上方壁２７の両端上方部には、上方に向かって突出するガイド面部３０が設けられている。ガイド面部３０の前面には上下に延びる複数の突条部３１が形成されている。ガイド面部３０の角部にはネジ止め孔３２が形成され、その近傍内面にはガイド溝３３が形成されている。ガイド溝３３の両側は第１側面３４と第２側面３５とで構成されている。第１側面３４は、上端位置から下方に延びる第１垂直面３６と、斜め下方に向かう傾斜面３７と、これに続く円弧面３８と、再び下方に向かう第２垂直面３９とからなる。第２側面３５は、第１側面３４と平行に形成された突条である。これにより、第１側面３４と第２側面３５の上方部分には第１側面３４と第２側面３５を構成する突条の上端位置とで広い開口が形成され、第１側面３４と第２側面３５の下方部分には、円弧面３８に続く切欠き３８ａ（図７及び図１２参照）が形成されることになる。また、ガイド面部３０から独立した、ネジ止め孔４０ａを有するボス部４０が形成されている。各ネジ止め孔３２により下パネル９に対して後述するホルダ４２をネジ止めできるようになっている。
【００３５】
上方壁２７の両端上方部にはロック片４１と、このロック片４１を保持するためのホルダ４２とが装着されている。
【００３６】
ロック片４１は、平面部４３と、その前面中央部から突出するツマミ部４４と、背面側のブロック部４５とで構成されている。ブロック部４５の上下面には凹部がそれぞれ形成されている。上方側凹部４６はフィルタケース５の係止フック２４に係止される。下方側凹部（図示せず）の底面には突起が形成され、上方壁２７の突起２７ａとの間にスプリング４７が配置される。これにより、ロック片４１は上方に付勢される。
【００３７】
ホルダ４２は、上方壁２７の両端上方部にそれぞれネジ止めされる一対のもので、前面にはロック片４１のツマミ部４４が露出する開口部４８が形成されている。開口部４８の近傍側部には、所定間隔で第１ガイド部４９と第２ガイド部５０とが設けられている。第１ガイド部４９と第２ガイド部５０の先端部分は半円状である。第２ガイド部５０の先端部には、第１ガイド部４９とは反対側の面から本体側ガイド凸部５１が突出している。本体側ガイド凸部５１は、後述する上パネル８が昇降する際に、そのガイド受部５７をガイドする。
【００３８】
下方壁２８は、その両端が背面側に向かって徐々に湾曲する横断面形状を有し、空気清浄機の前面下方部を構成している。下方壁２８の下面両端部には下方に向かって突出する係止凸部５２がそれぞれ形成されている。これら係止凸部５２は、前記フィルタケース５の係止凹部１５にそれぞれ係止される。
【００３９】
前記構成の下パネル９は、下端部の係止凸部５２をフィルタケース５の係止凹部１５に係止させた状態で、上端部をフィルタケース５に接近させると、フィルタケース５の係止フック２４がロック片４１の上方側凹部４６に係止され、フィルタケース５に対して取り付けることができるようになっている。下パネル９は、フィルタケース５に取り付けられた状態で、フィルタケース５との間に第２吸込口５３を形成し、第２凹部１７との間に第３吸込口５４を形成する。
【００４０】
上パネル８は、本発明に係るスライド部材の一例であり、下パネル９の下方壁２８と同様な横断面形状に形成され、両側部が湾曲して背面側へと延びている。図４に戻って、上パネル８の背面上方側には昇降バー２２がネジ止めされている。昇降バー２２は上パネル８の幅方向に延び、その両端部には係合部５５が形成されている。係合部５５は、対向する一対の側壁５５ａを有し、これら側壁５５ａは下方側が互いに離れるように広がっている。側壁５５ａの上方側の対向位置には係合孔５５ｂが形成され、そこには前記空気清浄機本体１側の支持ブロック１８に形成した係合突部１８ｃが係脱する。上パネル８の背面下方側には、幅方向に所定間隔で、下端から上方に向かって延びるガイド壁５６がそれぞれ形成されている。
【００４１】
図８も併せて参照すると、各ガイド壁５６は、下端部を除く外縁部に、他方のガイド壁５６とは反対面に突条のガイド受部５７が形成されている。ガイド受部５７は、上パネル８の背面に対して、上端から下方に向かって平行に延び、下方側で徐々に離れ、下端部では再び平行となっている。ガイド受部５７は、その内縁側を下パネル９の本体側ガイド凸部５１によってガイドされる。これにより、昇降用モータ２０を正逆回転駆動すると、空気清浄機の前面の一部を構成する上パネル８は、上方側を支持された支持ブロック１８と共に空気清浄機の前面に沿って昇降し、前方側には移動することがない。上パネル８の下端と下パネル９の下方壁２８の上端との間には第１吸込口２９が形成され、上パネル８の昇降位置によって第１吸込口２９の開度が調整される。上パネル８は、最下位置で、湾曲面２７ａのみが露出し、開口部２８ａから吸引可能な状態となる。また上パネル８は、最上位置で、湾曲面２７ａ及びその上方側の湾曲面２７ｂが露出し、開口部２８ａのみならず、湾曲面２７ｂの上方側の空間からも吸引可能となる。但し、上パネル８の移動は、空気清浄機本体１の前面領域の範囲内である。つまり、上パネル８が空気清浄機本体１からはみ出すことがなく、人が接触する等によって損傷する等の不具合は発生しない。また各ガイド壁５６の下端部には、他方のガイド壁５６との対向面にパネル側ガイド凸部５８が形成されている。パネル側ガイド凸部５８は、下パネル９のガイド溝３３にガイドされる。
【００４２】
図３に示すように、空気清浄部２は、前記フィルタケース５の前面側収容部１０内で、前方側に配置される第１フィルタ５９と、後方側に配置される第２フィルタ６０とで構成されている。ここでは、第１フィルタ５９には空気中の粉塵を収集する集塵フィルタが採用され、第２フィルタ６０にはアセトアルデヒド、酢酸、アンモニア等を脱出する脱臭フィルタが採用されている。
【００４３】
図２に示すように、送風部３は、回転用モータ６１により回転駆動するシロッコファン６２を螺旋状の空気通路を有するケーシング６３内に収容したものである。このケーシング６３は、前記フィルタケース５の仕切壁１１の背面に固定されて、シロッコファン６２の回転により、その中心部分に吸い込まれて外周側へと流動する空気をトップカバー７の空気排出口２５へと導く。
【００４４】
制御部４（図２参照）は、操作パネル２６での各種操作ボタンの操作信号や図示しないセンサ（臭いセンサ等）での検出信号に基づいて、回転用モータ６１や昇降用モータ２０を駆動制御する。
【００４５】
続いて、前記構成からなる空気清浄機の動作について説明する。
前記空気清浄機では、操作ボタンの操作により駆動を開始し、センサでの検出信号に基づいて回転用モータ６１の回転数を制御する。回転用モータ６１の回転数は、操作ボタンによって選択される運転モードや、センサで検出される周囲雰囲気の汚れ具合に応じて自動的に変更される。例えば、運転モードに「強」が選択されている場合や、周囲雰囲気の汚れ具合がある閾値（最大汚れを示す値）を超えている場合には、回転用モータ６１の回転数が最大値とされる。
【００４６】
また、選択された回転用モータ６１の回転数に応じて昇降用モータ２０によって昇降させる上パネル８の位置が決定される。ここでは、回転用モータ６１の回転数の大小に応じて、昇降用モータ２０を駆動して上パネル８を上下方向へと移動させ、開口部２８ａの開度を調整している。詳しくは、昇降用モータ２０を駆動してその回転軸を正逆回転させると、そこに固定したピニオン２１がラック１９との噛合位置を変化させる。これにより、ラック１９を形成された支持ブロック１８が昇降し、支持ブロック１８に取り付けた昇降バー２２と共に上パネル８も上下方向へと移動する。上パネル８は、その係合部５５を昇降バー２２の係合孔２３に係合させている。そして、上パネル８のガイド受部５７は、その内縁側を下パネル９の本体側ガイド凸部５１によってガイドされている。したがって、上パネル８が、空気清浄機の前面から前方へと突出することなく上下方向に移動し、第１吸込口２９の開度を変更する。
【００４７】
次いで、前記構成からなる空気清浄機の上パネル８、下パネル９及び空気清浄部２を着脱する場合について説明する。
空気清浄機本体１から上パネル８を取り外す場合、図９に示す状態から、手動により、上パネル８を図１０に示す最上位置まで移動させると、上パネル８の係合部５５に形成した係合孔５５ｂがフィルタケース５の支持ブロック１８の係合受部１８ａに形成した係合突部１８ｃから脱落する。そして、上パネル８の上方側を手前に引き出すことにより、図１１から図１２に示すようにして上パネル８を取り外すことができる。
【００４８】
また空気清浄機本体１から下パネル９を取り外す場合、ロック片４１のツマミ部４４をスプリング４７の付勢力に抗して押し下げることにより、上方側凹部４６をフィルタケース５の係止フック２４から脱落させる。そしてその脱落状態を維持しながら、下パネル９の上方側を手前に引っ張り、持ち上げることにより、下面両端部の係止凸部５２をフィルタケース５の係止凹部１５から脱落させ、フィルタケース５から下パネル９を取り外すことができる。
【００４９】
このようにして、フィルタケース５から上パネル８と下パネル９を取り外すことにより、フィルタケース５の前面側は完全に開放された状態となる。そこで、フィルタケース５から第１フィルタ５９及び第２フィルタ６０（いずれか一方のみでもよい）を取り外して簡単に交換又は清掃することができる。
【００５０】
第１フィルタ５９及び第２フィルタ６０（いずれか一方のみでもよい）の交換又は清掃が完了すれば、フィルタケース５に下パネル９を取り付ける。下パネル９の取付作業では、その下面両端部の係止凸部５２をフィルタケース５の係止凹部１５に係止させた状態で、フィルタケース５に対して上方側を押し込めばよい。これにより、ロック片４１の上方側凹部４６にフィルタケース５の係止フック２４が係止され、フィルタケース５に対する下パネル９の取付作業が完了する。この場合、前述の通り、上パネル８は下パネル９によって支持されるように構成されているので、フィルタケース５に対して下パネル９を取り付ける前に上パネル８を取り付けることはできない。
【００５１】
続いて、下パネル９に対して上パネル８を取り付ける。まず、上パネル８を傾斜させた状態で、図１２に示すように、そのパネル側ガイド凸部５８を下パネル９のガイド溝３３に挿入する。この作業は、上パネル８を傾斜させた状態でガイド溝３３を目視しながら行うことができる。しかも、ガイド溝３３の入口部分は広い開口で構成されている。したがって、パネル側ガイド凸部５８を容易にガイド溝３３へと挿入することができる。
【００５２】
次いで、図１１に示すように、上パネル８のガイド受部５７を下パネル９の第２ガイド部５０に沿ってスライドさせる。上パネル８は、パネル側ガイド凸部５８がガイド溝３３の終端部分を構成する円弧面３８に当接することにより、下パネル９に対して傾斜状態に位置決めされる。この状態で、上パネル８をパネル側ガイド凸部５８を中心として回動させ、次いでパネル側ガイド凸部５８を切欠き３８ａを通過させて第２垂直面３９に沿って下方側へと移動させる。このとき、上パネル８のガイド受部５７に下パネル９のホルダ４２に形成した本体側ガイド凸部５１が摺接する。
【００５３】
このように、上パネル８は、その第２ガイド突部を下パネル９のガイド溝３３に沿って移動させなければ、取り付けることができない構成となっている。つまり、空気清浄機本体１に対して下パネル９が取り付けられていない場合、上パネル８を装着することはできなくなっており、下パネル９の装着忘れを防止することが可能である。
【００５４】
最後に、上パネル８の昇降バー２２に形成した係合孔５５ｂに下パネル９に形成した係合突部１８ｃ係合することにより、上パネル８の取付作業が完了する。この状態では、上パネル８は、本体側ガイド凸部５１によってガイド受部５７を支持されており、外力が作用したとしても前方側に倒れて脱落しにくい状態となっている。そして、昇降用モータ２０を駆動することにより、昇降バー２２を昇降させることにより上パネル８をガイド受部５７がガイド凸部５１に沿うことにより昇降させることができる。上パネル８を最下位置に移動させれば、第１吸込口２９が開口部２８ａに連なる部分のみが開口した状態となり、最上位置に移動させれば、開口部２８ａのみならず、湾曲面２８ｂに連なる下パネル９の上方壁２７よりも上方側の空間にも開口した状態となる。
【００５５】
なお、本発明は、前記実施形態に記載された構成に限定されるものではなく、種々の変更が可能である。
【００５６】
前記実施形態では、前面パネルを上パネル８と下パネル９で構成するようにしたが、１枚のみ、あるいは、３枚以上のパネルで構成することも可能である。また上パネル８を昇降動作させるように構成したが、水平動作（横方向に移動）させたり、前面が傾斜していれば、その傾斜方向に沿って斜めに移動させたりする構成とすることも可能である。水平動作させる場合、左右２枚のパネルを接離するように構成するのが好ましい。
【００５７】
前記実施形態では、回転用モータ６１の回転数の大小に応じて、昇降用モータ２０を駆動して上パネル８を上下方向へと移動させることにより第１吸込口２９の開度を調整するようにしたが、回転数を一定としたままで第１吸込口２９の開度を調整するようにしてもよい。
【００５８】
前記実施形態では、上パネル８を最下位置に移動させた状態で、第１吸込口２９の開度を開口部２８ａのみに連なる状態としたが、全閉としてもよいし、全閉から若干開口した状態としてもよい。
【００５９】
前記実施形態では、空気調和機として空気清浄機について説明したが、前記構成は他の空気調和機である、除湿機、衣類乾燥機、送風機等にも採用可能である。除湿機、衣類乾燥機では、空気清浄部は活性炭等で構成された除湿部が該当する。
【００６０】
前記実施形態では、空気吸込口として、第１吸込口２９、第２吸込口５３及び第３吸込口５４を設けた構成としたが、これに加えて、例えば、上パネル８の上端と空気清浄機本体１との間等、他の部分に設けるようにしてもよい。
【符号の説明】
【００６１】
１…空気清浄機本体（空気調和機本体）
２…空気清浄部（空気処理部）
３…送風部
４…制御部
５…フィルタケース
６…リアケース
７…トップカバー
８…上パネル（スライド部材）
９…下パネル
１０…前面側収容部
１１…仕切壁
１２…連通口（空気吸込領域）
１３…底壁
１４…第１凹部
１５…係止凹部
１６…側壁
１７…第２凹部
１８…支持ブロック
１９…ラック
２０…昇降用モータ
２１…ピニオン
２２…昇降バー
２３…係合孔
２４…係止フック
２５…空気排出口
２６…操作パネル
２７…上方壁
２８…下方壁
２９…第１吸込口（空気吸込口）
３０…ガイド面部
３１…突条部
３２…ネジ止め孔
３３…ガイド溝
３４…第１側面
３５…第２側面
３６…第１垂直面
３８…円弧面
３９…第２垂直面
４０…ボス部
４１…ロック片
４２…ホルダ
４３…平面部
４４…ツマミ部
４５…ブロック部
４６…上方側凹部
４７…スプリング
４８…開口部
４９…第１ガイド部
５０…第２ガイド部
５１…第１ガイド凸部
５２…係止凸部
５３…第２吸込口（空気吸込口）
５４…第３吸込口（空気吸込口）
５５…係合突部
５６…ガイド壁
５７…ガイド受部
５８…第２ガイド凸部
５９…第１フィルタ
６０…第２フィルタ
６１…回転用モータ
６２…シロッコファン
６３…ケーシング
【図１】
0006567322.tif 000002
【図２】
0006567322.tif 000003
【図３】
0006567322.tif 000004
【図４Ａ】
0006567322.tif 000005
【図４Ｂ】
0006567322.tif 000006
【図５】
0006567322.tif 000007
【図６】
0006567322.tif 000008
【図７】
0006567322.tif 000009
【図８】
0006567322.tif 000010
【図９】
0006567322.tif 000011
【図１０】
0006567322.tif 000012
【図１１】
0006567322.tif 000013
【図１２】
0006567322.tif 000014